(57)【特許請求の範囲】
【請求項１】
ＧＰＳ（全地球測位システム）信号を受信して現在地を表す座標データ信号を出力するＧＰＳ（全地球測位システム）チューナ部と、前記座標データ信号に基づいて記憶媒体から読み出した地図データ信号を出力するナビデータ処理部と、前記地図データ信号を基に映像信号を生成するナビ映像処理部と、テレビジョン放送信号を受信して該受信信号を基にテレビジョン映像信号を出力するテレビジョンチューナ部と、前記ナビ映像処理部と前記テレビジョンチューナ部とのいずれか一方の出力信号を選択して表示手段に与える映像選択手段とを備えるナビゲーション装置において、
前記テレビジョンチューナ部の受信チャンネルを記憶する受信チャンネル記憶手段と、前記受信チャンネルが予め定めた特定のチャンネルであるか否かを判別するチャンネル比較手段とを更に備え、
前記映像選択手段が、選択する信号を前記テレビジョンチューナ部の出力信号から前記ナビ映像処理部の出力信号へ切り換えた場合に、前記テレビジョンチューナ部の受信チャンネルが前記特定のチャンネルである場合には、前記テレビジョンチューナ部で受信するチャンネルを前記特定のチャンネル以外のチャンネルへ変更し、
このチャンネル変更としての前記特定のチャンネルからそれ以外のチャンネルへのチャンネル変更に対しては、前記受信チャンネル記憶手段は、該チャンネル変更の後も該チャンネル変更前の受信チャンネルである前記特定のチャンネルを受信チャンネルとして記憶し、
前記映像選択手段が、選択する信号を前記ナビ映像処理部の出力信号から前記テレビジョンチューナ部の出力信号へ切り換えた場合に、受信チャンネル記憶手段に記憶されている受信チャンネルが前記特定のチャンネルであるときには、前記テレビジョンチューナ部で受信するチャンネルを前記特定のチャンネルへ戻すことを特徴とするナビゲーション装置。
【請求項２】
ＧＰＳ（全地球測位システム）信号を受信して現在地を表す座標データ信号を出力するＧＰＳ（全地球測位システム）チューナ部と、前記座標データ信号に基づいて記憶媒体から読み出した地図データ信号を出力するナビデータ処理部と、前記地図データ信号を基に映像信号を生成するナビ映像処理部と、テレビジョン放送信号を受信して該受信信号を基にテレビジョン映像信号を出力するテレビジョンチューナ部と、前記ナビ映像処理部と前記テレビジョンチューナ部とのいずれか一方の出力信号を選択して表示手段に与える映像選択手段とを備えるナビゲーション装置において、
前記テレビジョンチューナ部の受信チャンネルを記憶する受信チャンネル記憶手段と、前記受信チャンネルが予め定めた特定のチャンネルであるか否かを判別するチャンネル比較手段とを更に備え、
前記映像選択手段が、選択する信号を前記テレビジョンチューナ部の出力信号から前記ナビ映像処理部の出力信号へ切り換えた場合に、前記テレビジョンチューナ部の受信チャンネルが前記特定のチャンネルである場合には、前記テレビジョンチューナ部の電源を切断し、
前記映像選択手段が、選択する信号を前記ナビ映像処理部の出力信号から前記テレビジョンチューナ部の出力信号へ切り換えた場合に、前記受信チャンネル記憶手段に受信チャンネルとして前記特定のチャンネルが記憶されているときには、前記テレビジョンチューナ部の電源を投入することを特徴とするナビゲーション装置。
【発明の詳細な説明】
【０００１】
【発明の属する技術分野】
本発明は、テレビジョン受信装置とカーナビゲーション装置とを備える電子装置に関し、特に両者の相互干渉を防止した装置に関する。
【０００２】
【従来の技術】
車載用のナビゲーション装置には、テレビジョンチュ−ナが組み込まれ、ナビゲーション装置の表示手段を用いてテレビジョン放送を視聴出来るようになっているものがある。
以下、従来のナビゲーション装置の一例について図５と共に説明する。
図５は従来例ナビゲーション装置を示すブロック図である。図５において、図示しないアンテナから入来したＧＰＳ（全地球測位システム）信号はＧＰＳチューナ部１１で受信され、該ナビゲーション装置がある現在の位置を表す座標データ信号をナビゲータ処理部１３に出力する。ナビゲータ処理部１３は前記座標データ信号に基づいて図示しない記憶媒体から読み出した地図データ信号をナビ映像処理部１５に与える。ナビ映像処理部１５は前記地図データ信号を基に映像信号を生成して映像選択手段１７に与える。映像選択手段１７は通常はマイクロプロセッサ（ＭＰＵ）３１ｂを用いて構成される。
【０００３】
一方、テレビジョンチューナ部２１では、図示しないアンテナから入来したテレビジョン放送信号を高周波増幅器（ＲＦ  Ａｍｐ）４１で増幅し、混合器（Ｍｉｘｅｒ）４２で局部発振器４３から出力される局部発振信号を用いて中間周波信号（ＩＦ信号）を生成して中間周波増幅器（ＩＦ  Ａｍｐ）４４に与える。ＩＦ  Ａｍｐ４４で増幅されたＩＦ信号を復調器４５で復調し、得られる映像信号を映像選択手段１７に与える。
マイクロプロセッサ（ＭＰＵ）３１ｂは受信するテレビチャンネルを指定する選局信号を局部発振器４３に与え、局部発振器はＰＬＬを用いて前記選局信号で指定された周波数の発振をし、テレビジョンチューナ部２１では指定されたチャンネルを選局することができる。
ＲＦ  Ａｍｐ４１の入力端子には、約９０ＭＨｚから２２０ＭＨｚまでのＶＨＦ帯のテレビジョン信号が図示しない外部アンテナから与えられるか、或いは、約４７０ＭＨｚから７７０ＭＨｚまでのＵＨＦ帯のテレビジョン信号が図示しない外部アンテナから与えられる。
【０００４】
映像選択手段１７はナビ映像処理部１５の出力又は復調器４５の出力をＭＰＵ３１ｂから送出される映像切換信号に応じて選択し、選択した映像信号を表示手段１９に与える。表示手段１９は例えば液晶表示装置であり、映像選択手段１７で選択された映像信号を表示する。操作パネル２３は操作者がナビゲーション装置５０を操作するための操作パネルであり、操作パネル２３で操作されたキーに応じた信号がＭＰＵ３１ｂに入力される。
【０００５】
【発明が解決しようとする課題】
前記した従来例のテレビジョンチューナ部２１を自動車用ナビゲーション装置に組み込んだ場合、テレビジョンチューナ部２１の局発振器４３が出力する局部発振信号の高調波がＧＰＳチューナ部１１に混入して、ナビゲ−ション装置５０が正常に動作しなくなるという問題が発生する。この問題はテレビジョンチューナ部２１で日本におけるＵＨＦ帯の５６ＣＨを受信した場合に特に発生する。具体的には、ＧＰＳチューナ部１１は、衛星から送信された１．５７５ＧＨｚのＧＰＳ信号を受信して現在位置を示す座標データを出力するのであるが、テレビジョンチューナ部２１が日本におけるＵＨＦ帯の５６チャンネルを受信している場合には、局部発振器４３の発振周波数は７８８ＭＨｚである。
【０００６】
そして、局部発振器４３から出力される局部発振信号の第２次高調波（１．５７６ＧＨｚ）は、ＧＰＳチューナ部１１に混入する。前記局部発振信号の第２次高調波は、その周波数がＧＰＳ信号の周波数１．５７５ＧＨｚに近いために、ＧＰＳチューナ部１１に混入すると、ＧＰＳ受信性能に悪影響を与え、ナビゲーション装置は正常な動作を行なえなくなる。
本発明は前記問題点に鑑みてなされたものであり、その目的は、テレビジョンチューナを組み込んだナビゲーション装置において、テレビジョンチュ−ナの局部発振信号によってＧＰＳチューナ部が妨害を受けないようにすることである。
【０００７】
【課題を解決するための手段】
本発明は上記目的を達成するために次のような構成でなされたものである。
第１の発明は、ＧＰＳ（全地球測位システム）信号を受信して現在地を表す座標データ信号を出力するＧＰＳ（全地球測位システム）チューナ部と、前記座標データ信号に基づいて記憶媒体から読み出した地図データ信号を出力するナビデータ処理部と、前記地図データ信号を基に映像信号を生成するナビ映像処理部と、テレビジョン放送信号を受信して該受信信号を基にテレビジョン映像信号を出力するテレビジョンチューナ部と、前記ナビ映像処理部と前記テレビジョンチューナ部とのいずれか一方の出力信号を選択して表示手段に与える映像選択手段とを備えるナビゲーション装置において、前記テレビジョンチューナ部の受信チャンネルを記憶する受信チャンネル記憶手段と、前記受信チャンネルが予め定めた特定のチャンネルであるか否かを判別するチャンネル比較手段とを更に備え、前記映像選択手段が、選択する信号を前記テレビジョンチューナ部の出力信号から前記ナビ映像処理部の出力信号へ切り換えた場合に、前記テレビジョンチューナ部の受信チャンネルが前記特定のチャンネルである場合には、前記テレビジョンチューナ部で受信するチャンネルを前記特定のチャンネル以外のチャンネルへ変更するようにしたナビゲーション装置である。
【０００８】
第２の発明は、第１の発明のナビゲーション装置において、前記受信チャンネル記憶手段は、受信するチャンネルが前記特定のチャンネル以外のチャンネルへ変更された後も前記変更前の受信チャンネルを記憶するようにしたナビゲーション装置である。
【０００９】
第３の発明は、第２の発明のナビゲーション装置において、前記映像選択手段が、選択する信号を前記ナビ映像処理部の出力信号から前記テレビジョンチューナ部の出力信号へ切り換えた場合に、受信チャンネル記憶手段に記憶されている受信チャンネルが前記特定のチャンネルであるときには、前記テレビジョンチューナ部で受信するチャンネルを前記特定のチャンネルへ戻すようにしたナビゲーション装置である。
【００１０】
第４の発明は、ＧＰＳ（全地球測位システム）信号を受信して現在地を表す座標データ信号を出力するＧＰＳ（全地球測位システム）チューナ部と、前記座標データ信号に基づいて記憶媒体から読み出した地図データ信号を出力するナビデータ処理部と、前記地図データ信号を基に映像信号を生成するナビ映像処理部と、テレビジョン放送信号を受信して該受信信号を基にテレビジョン映像信号を出力するテレビジョンチューナ部と、前記ナビ映像処理部と前記テレビジョンチューナ部とのいずれか一方の出力信号を選択して表示手段に与える映像選択手段とを備えるナビゲーション装置において、前記テレビジョンチューナ部の受信チャンネルを記憶する受信チャンネル記憶手段と、前記受信チャンネルが予め定めた特定のチャンネルであるか否かを判別するチャンネル比較手段とを更に備え、前記映像選択手段が、選択する信号を前記テレビジョンチューナ部の出力信号から前記ナビ映像処理部の出力信号へ切り換えた場合に、前記テレビジョンチューナ部の受信チャンネルが前記特定のチャンネルである場合には、前記テレビジョンチューナ部の電源を切断するようにしたナビゲーション装置である。
【００１１】
第５の発明は、第４の発明のナビゲーション装置において、前記映像選択手段が、選択する信号を前記ナビ映像処理部の出力信号から前記テレビジョンチューナ部の出力信号へ切り換えた場合に、前記受信チャンネル記憶手段に受信チャンネルとして前記特定のチャンネルが記憶されているときには、前記テレビジョンチューナ部の電源を投入するようにしたナビゲーション装置である。
【００１２】
【発明の実施の形態】
本発明のナビゲーション装置は、ＧＰＳ（全地球測位システム）チューナ部と、地図データ信号を出力するナビデータ処理部と、前記地図データ信号を基に映像信号を生成するナビ映像処理部と、ＧＰＳに係る映像又はテレビジョンに係る映像から選択された映像を表示する表示手段とを備えるナビゲーション装置において、前記表示手段での表示がテレビジョンからナビゲーションに変更された場合に、その変更の直前まで視聴していたテレビジョンチャンネルが予め定めた特定のチャンネルである場合には、前記テレビジョンチューナ部で受信するチャンネルを前記特定のチャンネル以外のチャンネルへ変更するか、或いは、前記テレビジョンチューナ部の電源をＯＦＦにすることにより、テレビジョンチューナの局部発振器から出力される局部発振信号の高調波が前記ＧＰＳチューナに与える妨害波の影響をなくすようにしたものである。
【００１３】
また、前記表示手段での表示がナビゲーションからテレビジョンへ変更された場合には次のように制御する。すなわち、前回表示がテレビジョンからナビゲーションに切り換えられた時に、その直前に前記特定のテレビジョンチャンネルを視聴していたならば、前記テレビジョンチューナ部で受信するチャンネルを前記特定のチャンネルに戻すか、或いは、前記テレビジョンチューナ部の電源をＯＮにして、前回テレビジョンを視聴していた状態に自動的に戻すようにする。
【００１４】
以下、本発明ナビゲーション装置の実施の形態について図と共に説明する。
図１は本発明ナビゲーション装置の第１実施例を示すブロック図である。図１に示すナビゲーション装置１０と図５に示すナビゲーション装置５０とで、同一のブロックには同一の符号を付し、その説明を省略する。
図１のナビゲーション装置１０と図５のナビゲーション装置５０との主たる違いは、図１の装置では、制御部３０がナビゲーション装置を総合的に制御し、制御部３０は少なくともＭＰＵ３１と、受信チャンネル記憶手段３２と、チャンネル比較手段３３と、受信チャンネル変更手段３４とを有する点である。通常、前記受信チャンネル記憶手段３２、チャンネル比較手段３３、受信チャンネル変更手段３４はＭＰＵ３１と制御部３０が内蔵するメモリとで構成される。
【００１５】
ＭＰＵ３１には操作者が操作するための操作パネル２３が接続され、表示手段１９で表示する映像を操作者は操作パネル２３を介して選択し、この選択のための映像切換信号がＭＰＵ３１から受信チャンネル変更手段３４と映像選択手段１７とに与えられる。
テレビジョンチューナ部２１で受信するチャンネルは、通常は操作パネル２３からＭＰＵ３１を介して操作者により指定され、該指定されたチャンネルの周波数がテレビジョンチューナ部２１に与えられるが、これらは周知の事項であるからここでは図示と説明を省略する。
【００１６】
一方テレビジョンチューナ部２１で受信中のチャンネルとその周波数は、受信チャンネル変更手段３４を介してＭＰＵ３１から受信チャンネル記憶手段３２に与えられ、受信チャンネル記憶手段３２で記憶される。チャンネル比較手段３３は受信チャンネル記憶手段３２で記憶された受信チャンネルと予め定めた特定のチャンネル、例えば日本におけるＵＨＦ帯の５６ＣＨとを比較し、両者が一致するか否かを判別し、その判別結果を受信チャンネル変更手段３４に与える。
【００１７】
映像選択手段１７が選択する信号がテレビジョンからナビゲーションに切り換えられた場合に、テレビジョンチューナ部２１で例えばＵＨＦ帯の５６ＣＨを受信していたときは、受信チャンネル変更手段３４はテレビジョンチューナ部２１で受信するＣＨを５６ＣＨ以外のチャンネルに変更し、変更後の周波数を選局信号としてテレビジョンチューナ部２１に与える。この場合、受信チャンネル記憶手段３２に記憶された５６ＣＨは更新されず、引き続きそのまま記憶される。
【００１８】
ナビゲーションの表示が終了して、映像選択手段１７が選択する信号がナビゲーションからテレビジョンへ切り換えられた場合には、受信チャンネル記憶手段３２に５６ＣＨが記憶されているか否かによって、選択する信号がテレビジョンからナビゲーションへ切り換えられたときの直前に５６ＣＨが受信されていたか否かを調べる。そして、受信チャンネル記憶手段３２に５６ＣＨが記憶されていれば、前回５６ＣＨが受信されていたと判別し、５６ＣＨ以外が記憶されていれば、前回５６ＣＨが受信されていなかったと判別する。
前回５６ＣＨが受信されていた場合には、受信チャンネル変更手段３４はテレビジョンチューナ部２１で受信するチャンネルをＵＨＦ帯の５６ＣＨに戻し、その選局信号をテレビジョンチューナ部２１に与える。
【００１９】
こうしてナビゲーションの映像を表示手段１９で表示している間は、テレビジョンチューナ部２１での受信チャンネルが５６ＣＨ以外になっているから、テレビジョンチューナ部２１における局部発振周波数は７８８ＭＨｚ以外となり、その第２次高調波の周波数は１．５７６ＧＨｚ以外の、ＧＰＳ信号の周波数１．５７５ＧＨｚから離れた周波数となる。したがって、テレビジョンチューナ部２１の局部発振信号の高調波によってＧＰＳチューナ部１１が妨害を受けることがなくなる。また、操作者は妨害波を回避するための特別の操作をすることなく、ナビゲーションに切り換える前に受信していたテレビジョンの視聴を継続することが出来る。
【００２０】
図２は本発明第１実施例に係る受信制御方法を示す図である。ステップＳ１１では表示対象がテレビジョンからナビゲーションへ切り換えられたか否かを判別し、切り換えられた時にステップＳ１３へ進む。ステップＳ１３では受信中のテレビチャンネルを受信チャンネル記憶手段３２のメモリから読み出してステップＳ１５へ進み、ステップＳ１５では前記メモリから読み出した受信チャンネルと予め定めた特定のチャンネルとを比較し、受信チャンネルが５６ＣＨであるか否かを判別し、肯定であればステップＳ１７へ進み、否定であればステップＳ１９へ進む。ステップＳ１７では、受信チャンネルを５６ＣＨ以外に変更してステップＳ１９へ進む。この場合、受信チャンネル記憶手段３２に記憶されていた更新前のチャンネル（５６ＣＨ）は更新せずに、そのまま記憶を続ける。
【００２１】
ステップＳ１９では表示手段１９でナビゲーションの映像を表示しステップＳ２１に進む。ステップＳ２１では、表示対象がナビゲーションからテレビジョンへ切り換えられたかを判別し、切り換えられた場合はステップＳ２３へ進み、切り換えられていない場合はステップＳ１９へ進んでナビゲーション映像の表示を続ける。ステップＳ２３では受信チャンネル記憶手段３２のメモリから前回受信していたテレビチャンネルを読み出してステップＳ２５へ進む。
【００２２】
ステップＳ２５では前回の受信チャンネルが５６であったか否かを判別し、肯定であればステップＳ２７へ進み、否定であればステップＳ２９へ進む。ステップＳ２７では、テレビジョンチューナ部２１で受信するチャンネルを５６ＣＨに戻してステップＳ２９へ進む。ステップＳ２９では表示手段１９で表示する映像をテレビジョンの映像に変更してこのフローを終了する。
【００２３】
図３は本発明ナビゲーション装置の第２実施例を示すブロック図である。図３に示すナビゲーション装置２０と図１に示すナビゲーション装置１０との主たる違いは、図３の装置では、制御部３０ｂが受信チャンネル変更手段３４に代えて電源制御手段３５が設けられている点である。
図３において、テレビジョンチューナ部２１での受信チャンネルとその周波数はＭＰＵ３１から受信チャンネル記憶手段３２に与えられ、受信チャンネル記憶手段３２で記憶される。電源制御手段３５はチャンネル比較手段３３での判別結果と映像選択手段１７を制御する映像切換信号とに応じてテレビジョンチューナ部２１の電源を制御する。
【００２４】
映像選択手段１７が選択する信号がテレビジョンからナビゲーションに切り換えられた場合に、テレビジョンチューナ部２１でＵＨＦ帯の５６ＣＨを受信していたときは、電源制御手段３５はテレビジョンチューナ部２１の電源をＯＦＦに変更するために電源制御信号をテレビジョンチューナ部２１に与える。この場合、受信チャンネルの変更処理は行なわず、テレビジョンチューナ部２１の電源をＯＦＦした後も記憶手段３２に記憶された５６ＣＨはそのまま記憶される。
【００２５】
なお、ナビゲーションの映像の表示が終了して、映像選択手段１７が選択する信号がナビゲーションからテレビジョンへ切り換えられた場合には、受信チャンネル記憶手段３２に５６ＣＨが記憶されているか否かによって、表示する信号がテレビジョンからナビゲーションへ切り換えられる直前に５６ＣＨが受信されていたか否かを調べる。そして、受信チャンネル記憶手段３２に５６ＣＨが記憶されていれば、前回５６ＣＨが受信されていた判別し、５６ＣＨ以外が記憶されていれば、前回５６ＣＨが受信されていなかったと判別する。
前回５６ＣＨが受信されていた場合には、電源制御手段３５はテレビジョンチューナ部２１の電源をＯＮに戻し、５６ＣＨを受信してテレビジョンの映像を表示手段１９で表示する。
【００２６】
図４は本発明第２実施例に係る受信制御方法を示す図である。図４に示すフローチャートと図２に示すフローチャートで、同一の処理には同一の符号を付して、その説明を省略する。
図４のフローチャートと図２のフローチャートとで異なる主要な点は、図４では、ステップＳ１７に代えてステップＳ１８が設けられ、ステップＳ２７に代えてステップＳ２８が設けられている点である。
【００２７】
図４に示すフローチャートにおいて、ステップＳ１８ではテレビジョンチューナ部２１の電源をＯＦＦにし、ステップＳ２８では、テレビジョンチューナ部２１の電源をＯＮにする。
こうしてナビゲーションの映像を表示手段１９で表示している間は、テレビジョンチューナ部２１の電源がＯＦＦとなっているから、テレビジョンチューナ部２１の局部発振信号の高調波によってＧＰＳチューナ部１１が妨害を受けることがなくなる。また、操作者は妨害波を回避するための特別の操作をすることなく、表示をナビゲーション映像に切り換える前に受信していたテレビジョンの視聴を継続することが出来る。
【００２８】
なお、本発明は、衛星から送信されるＧＰＳ信号の周波数が１．５７５ＧＨｚで、且つテレビジョンチューナ部で受信するＵＨＦ帯の放送が日本における５６チャンネルである場合に限定されるものではない。すなわち、衛星から送信されるＧＰＳ信号の周波数と、放送波の高調波の周波数とが近いチャンネルを受信可能にした装置には、本発明を適用することが出来る。
【００２９】
以上詳細に述べた通り、本発明を適用した実施の形態によれば、ナビゲーションの映像を表示手段１９で表示している間は、テレビジョンチューナ部２１での受信チャンネルが５６ＣＨ以外のチャンネルになっていて、局部発振信号の第２次高調波の周波数とＧＰＳ信号の周波数とが離れたものとなり、テレビジョンチューナ部２１の局部発振信号の高調波によってＧＰＳチューナ部１１が妨害を受けることがなくなる。
また、ナビゲーションの映像を表示手段１９で表示している間は、テレビジョンチューナ部２１の電源をＯＦＦにすることにより、テレビジョンチューナ部２１の局部発振信号の高調波によってＧＰＳチューナ部１１が妨害を受けることがなくなる。
したがって、操作者は妨害波を回避するための特別の操作をすることなく、表示映像をナビゲーション映像に切り換える前に受信していたテレビジョンの視聴を継続することが出来る。
【図面の簡単な説明】
【図１】本発明ナビゲーション装置の第１実施例を示すブロック図である。
【図２】本発明第１実施例に係る受信制御方法を示す図である。
【図３】本発明ナビゲーション装置の第２実施例を示すブロック図である。
【図４】本発明第２実施例に係る受信制御方法を示す図である。
【図５】従来例ナビゲーション装置を示すブロック図である。
【符号の説明】
１１    ＧＰＳチューナ部
１３    ナビゲータ処理部
１５    ナビ映像処理部
１７    映像選択手段
１９    表示手段
２１    テレビジョンチューナ部
２３    操作パネル
３０、３０ｂ    制御部３０ｂ
３１    マイクロプロセッサ（ＭＰＵ）
３２    受信チャンネル記憶手段
３３    チャンネル比較手段
３４    受信チャンネル設定手段
３５    電源制御手段３５
【図１】
0003893267.tif 000002
【図２】
0003893267.tif 000003
【図３】
0003893267.tif 000004
【図４】
0003893267.tif 000005
【図５】
0003893267.tif 000006